(57)【要約】  電気機器の筺体外壁に設けられ、電線ケーブルが引出されるケーブル引出口と、柔軟性材料により所定の厚さを有する帯状に形成され、長手方向に部分的にスリットが設けられ、電線ケーブルに複数回巻き付けられて形成される円周溝付グロメットと、前記円周溝に嵌合する切欠き部を有し、該円周溝に嵌合するとともに、前記ケーブル引出口を封止する封止板と、を備え、前記ケーブル引出口は、前記電線ケーブルの端部に接続されたコネクタを挿通可能な大きさに形成されている。
2010109660.tif 000002
【特許請求の範囲】
【請求項１】
柔軟性材料により所定の厚さを有する帯状に形成され、長手方向に部分的にスリットが設けられ、電線ケーブルに複数回巻き付けられて形成されることを特徴とする円周溝付グロメット。
【請求項２】
前記柔軟性材料は、発泡樹脂材料であることを特徴とする請求項１に記載の円周溝付グロメット。
【請求項３】
電気機器の筺体外壁に設けられ、電線ケーブルが引出されるケーブル引出口と、
電線ケーブルに装着され、円周溝を前記ケーブル引出口に嵌合させた請求項１に記載の円周溝付グロメットと、
を備えることを特徴とする封止装置。
【請求項４】
電気機器の筺体外壁に設けられ、電線ケーブルが引出されるケーブル引出口と、
電線ケーブルに装着され、円周溝を前記ケーブル引出口の一部に嵌合させた請求項１に記載の円周溝付グロメットと、
前記円周溝に嵌合する切欠き部を有し、該円周溝に嵌合するとともに、前記ケーブル引出口を封止する封止板と、
を備えることを特徴とする封止装置。
【請求項５】
前記円周溝付グロメットは、複数本の電線ケーブルを束ねていることを特徴とする請求項３又は４に記載の封止装置。
【請求項６】
前記ケーブル引出口は、前記電線ケーブルの端部に接続されたコネクタを挿通可能な大きさに形成されていることを特徴とする請求項４に記載の封止装置。
【請求項７】
前記ケーブル引出口からは、各々前記円周溝付グロメットが装着された複数本の電線ケーブルが引出されていることを特徴とする請求項４に記載の封止装置。
【請求項８】
前記封止板の表裏両面及び前記筺体外壁の表裏両面に、前記柔軟性材料から成るシートが貼付されていることを特徴とする請求項３又は４に記載の封止装置。
【発明の詳細な説明】
【技術分野】
【０００１】
本発明は、熱交換換気装置等の電気機器の電線ケーブル引出口を封止する円周溝付グロメット及び封止装置に関するものである。
【背景技術】
【０００２】
従来、筒状をしたプラスチック製の接続ケースを有し、この接続ケースの長手方向の両端部には、それぞれ該接続ケースの開口部分を封止するプラスチック製の端面板が設けられ、各端面板を境にして接続ケースの外部から内部にそれぞれケーブルが挿通されて両ケーブルが接続ケース内部において互いに接続されてなるケーブル接続構造において、前記端面板には貫通孔が形成され、この貫通孔にはゴム等の弾性体からなるブッシングが嵌着され、このブッシングの少なくとも端面板の内壁側に位置する部分には、該内壁面に沿って外方に張り出したフランジ部が形成されており、さらに、ブッシングの外壁からケーブル挿通孔に至るまで切り裂いたスリットが軸方向に沿って一箇所設けられているケーブル接続構造が開示されている（例えば、特許文献１参照）。【０００３】
【特許文献１】特開平０４−５６０８１号公報
【発明の開示】
【発明が解決しようとする課題】
【０００４】
しかしながら、特許文献１に記載された従来のケーブル接続構造は、端面板のケーブル挿通部分におけるシール効果があり、ケーブル外径の異なるものに対しても端面板のサイズを変更することなく対応することができるが、ケーブルの外径が異なるものに対して、ケーブル挿通孔の異なるブッシングを準備しなければならず、コストアップになる、という問題がある。また、ブッシングの外壁からケーブル挿通孔に至るまで切り裂いたスリットが軸方向に沿って設けられているので、シール効果が低い、という問題がある。【０００５】
本発明は、上記に鑑みてなされたものであって、電線ケーブルの外形形状を問わずに封止をすることができ、低コストな円周溝付グロメット及び封止装置を得ることを目的とする。
【課題を解決するための手段】
【０００６】
上述した課題を解決し、目的を達成するために、本発明の円周溝付グロメットは、柔軟性材料により所定の厚さを有する帯状に形成され、長手方向に部分的にスリットが設けられ、電線ケーブルに複数回巻き付けられて形成されることを特徴とする。また、本発明の封止装置は、電気機器の筺体外壁に設けられ、電線ケーブルが引出されるケーブル引出口と、電線ケーブルに装着され、円周溝を前記ケーブル引出口に嵌合させた前記円周溝付グロメットと、を備えることを特徴とする。
【発明の効果】
【０００７】
本発明にかかる円周溝付グロメット及び封止装置は、電線ケーブルの外形形状を問わずに封止をすることができ、低コストである、という効果を奏する。
【図面の簡単な説明】
【０００８】
【図１−１】図１−１は、本発明の実施の形態１の円周溝付グロメットを示す展開図である。
【図１−２】図１−２は、図１のＡ−Ａ線に沿う断面図である。
【図２】図２は、実施の形態１の円周溝付グロメットを電線ケーブルに装着する様子を示す図である。
【図３】図３は、本発明の実施の形態２の封止装置を示す分解斜視図である。
【図４】図４は、実施の形態２の封止装置を示す斜視図である。
【図５】図５は、本発明の実施の形態３の封止装置を示す分解斜視図である。
【図６】図６は、実施の形態３の封止装置を示す斜視図である。
【符号の説明】
【０００９】
１１  円周溝付グロメット
１１ａ  円周溝（スリット）
１１ｂ  接着面
１３  電線ケーブル
１５  筺体外壁
１５ａ、１５ｂ  ケーブル引出口
１５ｃ  ねじ穴
１７  封止板
１７ａ、１７ｂ  切欠き部
１７ｃ  ねじ通し孔
１９  コネクタ
９２、９３  封止装置
【発明を実施するための最良の形態】
【００１０】
以下に、本発明にかかる円周溝付グロメット及び封止装置の実施の形態を図面に基づいて詳細に説明する。なお、この実施の形態によりこの発明が限定されるものではない。【００１１】
実施の形態１．
図１は、本発明の実施の形態１の円周溝付グロメットを示す展開図であり、図２は、実施の形態１の円周溝付グロメットを電線ケーブルに装着する様子を示す図である。図１−１及び図１−２に示すように、円周溝付グロメット１１は、柔軟性材料としてのウレタンフォーム等の発泡樹脂材料により所定の厚さ（幅寸法の１／３程度の厚さ）を有する帯状に形成され、長手方向に部分的（全長の１／２程度の長さ）にスリット１１ａが設けられている。【００１２】
図２に示すように、円周溝付グロメット１１は、スリット１１ａが設けられていない方の端から、電線ケーブル１３に複数回巻き付けられ、接着面１１ｂに塗布された接着剤により接着されて略円筒状に形成され、外周部に、スリットにより円周溝１１ａが形成される。円周溝１１ａの幅は、後述の電気機器の筺体外壁の厚さと同等となっている。【００１３】
円周溝付グロメット１１は、柔軟性を有しており、例えば、電源線ケーブルと信号線ケーブル等の複数本の電線ケーブル１３を束ねてケーブル間の隙間を埋めるように巻き付け、隙間から空気が漏れないようにすることができる。また、伸縮自在であり、電線ケーブル１３の太さが異なっても、一種類の円周溝付グロメット１１で対応することができる。さらに、接着剤により巻き層間の気密性を向上させている。【００１４】
実施の形態２．
図３は、本発明の実施の形態２の封止装置を示す分解斜視図であり、図４は、実施の形態２の封止装置を示す斜視図である。図３及び図４に示すように、本発明の実施の形態２の封止装置９２は、電気機器の筺体外壁１５に設けられ、電線ケーブル１３が引出されるケーブル引出口１５ａと、電線ケーブル１３に装着され、円周溝１１ａをケーブル引出口１５ａに嵌合させた円周溝付グロメット１１と、を備えている。【００１５】
円周溝１１ａの底部の径は、ケーブル引出口１５ａの径と略同一とし、円周溝１１ａの幅は、筺体外壁１５の板厚と略同一とする。電線ケーブル１３に装着した円周溝付グロメット１１を、ケーブル引出口１５ａに押し込み、円周溝１１ａをケーブル引出口１５ａに嵌合させる。この嵌合により、電線ケーブル１３が筺体外壁１５に固定され、電線ケーブル１３と円周溝付グロメット１１との間が隙間なく封止されるとともに、ケーブル引出口１５ａと円周溝付グロメット１１との接触面積が広くなり、気密性が向上する。【００１６】
また、図示はしないが、円周溝付グロメット１１で、複数本の電線ケーブル１３を束ね、ケーブル引出口１５ａに嵌合させてもよい。【００１７】
実施の形態３．
図５は、本発明の実施の形態３の封止装置を示す分解斜視図であり、図６は、実施の形態３の封止装置を示す斜視図である。図５及び図６に示すように、本発明の実施の形態３の封止装置９３は、電気機器の筺体外壁１５に設けられ、電線ケーブル１３が引出されるケーブル引出口１５ｂと、電線ケーブル１３に装着され、円周溝１１ａをケーブル引出口１５ｂの一部に嵌合させた円周溝付グロメット１１と、円周溝１１ａに嵌合する切欠き部１７ａ、１７ｂを有し、円周溝１１ａに嵌合するとともに、ケーブル引出口１５ｂを封止する封止板１７と、を備えている。【００１８】
ケーブル引出口１５ｂは、Ｌ字形の長孔であり、端部が半円形に形成されている。円周溝１１ａの底部の径は、長孔の端部の半円形の径と略同一とし、円周溝１１ａの幅は、筺体外壁１５の板厚と封止板１７の板厚の和と略同一とする。【００１９】
２本の電線ケーブル１３、１３に装着した円周溝付グロメット１１、１１を、ケーブル引出口１５ｂに押し込み、円周溝１１ａ、１１ａをケーブル引出口１５ａの両端部の半円部に嵌合させる。次に、封止板１７の切欠き部１７ａ、１７ｂを、円周溝付グロメット１１、１１の円周溝１１ａ、１１ａに嵌合させ、図示しないねじを封止板１７のねじ通し孔１７ｃ、１７ｃを通して筺体外壁１５のねじ穴１５ｃにねじ込み、封止板１７を筺体外壁１５に固定する。【００２０】
封止板１７を、円周溝１１ａ、１１ａに嵌合させるとともに、筺体外壁１５に固定することにより、電線ケーブル１３、１３が筺体外壁１５に固定され、電線ケーブル１３、１３と円周溝付グロメット１１、１１との間が隙間なく封止されるとともに、ケーブル引出口１５ｂ及び封止板１７と円周溝付グロメット１１、１１との接触面積が広くなり、気密性が向上する。【００２１】
また、封止板１７の表裏両面及び筺体外壁１５の表裏両面に、ウレタンフォーム等の柔軟性材料から成るシートを貼付することにより、封止装置９３の気密性をさらに向上することができる。【００２２】
図示はしないが、円周溝付グロメット１１により、複数本の電線ケーブル１３を束ねるようにしてもよい。また、ケーブル引出口１５ｂは、電線ケーブル１３の端部に接続されたコネクタ１９を挿通可能な大きさにするとよい。このようにすることにより、コネクタ１９を電線ケーブル１３に取付けたまま、電気機器の組立、分解を行うことができる。
【産業上の利用可能性】
【００２３】
以上のように、本発明にかかる円周溝付グロメット及び封止装置は、熱交換換気装置等の電気機器に有用である。
【図１−１】
2010109660.tif 000003
【図１−２】
2010109660.tif 000004
【図２】
2010109660.tif 000005
【図３】
2010109660.tif 000006
【図４】
2010109660.tif 000007
【図５】
2010109660.tif 000008
【図６】
2010109660.tif 000009
【国際調査報告】
2010109660.tif 000010
2010109660.tif 000011
2010109660.tif 000012
2010109660.tif 000013